(57)【要約】【課題】主に子供達がリサイクルやリユースへの関心を高めることが可能な、使用済みペツトボトルを活用した遊戯具を提供する。【解決手段】各隅に載置部を形成した基板と複数のペツトボトルで構成し、前記基板の載置部は、一部分をペツトボトルの底部の形状に相似する形状に形成し、その載置部にペツトボトルを載置し、ペツトボトルの下部側面と載置部の裏面を粘着テープで貼着して載置部に固定し、基板にペツトボトルを立設する。【選択図】  図１
2009034151.tif 000002
【特許請求の範囲】
【請求項１】
各隅に載置部を形成した基板と複数の使用済みのペツトボトルで構成するもので、前記基板の載置部の一部分は、使用済みペツトボトルの底部に相似する形状に形成したことを特徴とするペツトボトル利用の遊戯日用具
【請求項２】
載置部を基板の中央部と側部にも形成し、基板の中央部と側部間に抜き部を形成したことを特徴とする請求項１記載のペツトボトル利用の遊戯日用具
【請求項３】
柔軟な合成樹脂の基板を型抜きして複数の的部と支持部を形成し、前記基板を湾曲状に形成し、且各的部を基板の前側に湾曲状に突出させ、且各支持部を基板の後側に湾曲状に突出させて、前記基板を傾斜させて立設したことを特徴とするペツトボトル利用の遊戯日用具
【請求項４】
板状の玉受体の上部に、前後左右が二又形の玉受部を形成したバツテングテイーにおいて、両端部は、二又形状に形成した玉受部を設け、中央部に使用済みペツトボトル口部に嵌合する取付孔を穿設した、柔軟な合成樹脂板で形成した板状の玉受体を、円弧状に曲折して各玉受部の下部を接合し、立体状に形成したことを特徴とするペツトボトル利用の遊戯日用具
【請求項５】
縦断面円形形状の支持体で、その左右中間部の一方の端部に取付孔を穿設し、その取付孔に螺旋リングを介して、玉掴みを連接した輪ゴムを取り付け、前記支持体の下部側に使用済みペツトボトル口部に嵌合する取付孔を穿設したことを特徴とするペツトボトル利用の遊戯日用具
【請求項６】
柔軟な合成樹脂の板の両端部に、使用済みペルトボトル口部に嵌合する取付孔と、適宜の間隔で紐取付を穿設し、前記各取付孔をペツトボトル口部に嵌合して取り付けて輪に形成し、袋の口部と輪の紐取付孔を紐で縛着したことを特徴とするペツトボトル利用の遊戯日用具
【請求項７】
基板に、使用済みペツトボトル口部に嵌合する複数の取付孔を穿設したことを特徴とするペツトボトル利用の遊戯日用具
【請求項８】
保持部を切り抜いて形成した柔軟な合成樹脂の枠体を略Ｕ字形状に形成し、その上部両端部を輪ゴムで連接し、前記枠体と保持部の中心部に使用済みペツトボトル口部に嵌合する取付孔を穿設したことを特徴とするペツトボトル利用の遊戯日用具
【請求項９】
略U字形状且保持部を形成した枠体の中央部に、使用済みペツトボトル口部に嵌合する取付孔を穿設し、枠体の上端部に吸盤を取り付けたことを特徴とするペツトボトル利用の遊戯日用具
【請求項１０】
複数の的孔と紐取付孔と使用済みペツトボトル口部に嵌合する取付孔を穿設した的板と、上部に複数の紐部を形成した複数の的袋を組合せて構成し、その的袋の紐部を紐取付孔に、的板の裏側から表側に挿通して的板に紐部を取り付け、的板の裏側に的袋を設けたことを特徴とするペツトボトル利用の遊戯日用具
【請求項１１】
的板に大小の的孔を形成し、且的板に大小の的袋を取り付けて構成し、大きい的孔の中央部に小さい的孔を支え板を介して的板と一体に形成し、大きい的袋が小さい的袋の外側に配設したことを特徴とする請求項１０記載のペツトボトル利用の遊戯日用具
【請求項１２】
柔軟な合成樹脂の板の両端部と中央部適宜の箇所に、使用済みペツトボトル口部に嵌合する取付孔を穿設し、前記取付孔を、底部を切断して形成したペツトボトルの口部に取り付けて輪に形成し、貫通孔を形成したペツトボトル蓋状の駒又はペツトボトル蓋を紐に通して連設し、前記輪の内側とペツトボトル内部に取り付けたことを特徴とするペツトボトル利用の遊戯日用具
【請求項１３】
頭部中央部に貫通孔を形成したペツトボトル蓋を紐に通し、数珠状に形成したことを特徴とするペツトボトル利用の遊戯日用具
【請求項１４】
支柱の先端部を、ペツトボトル口部に嵌合するテーパー形状を形成し、支柱の他端部に傘の握柄を凸凹混在のマジツクテープ（商標登録）バンドで取り付け、ペツトボトル口部に傘を取り付け、立設したことを特徴とするペツトボトル利用の遊戯日用具
【請求項１５】
支柱の先端部に、バネを有する挟み具を回動自在に取り付け、傘の握柄を、前記挟み具で着脱自在に取り付けたことを特徴とする請求項１４記載のペツトボトル利用の遊戯日用具
【請求項１６】
ペツトボトルの安定的立設を支える基板を、切り抜いて、抜き部と支え部と補助支え部を形成し、前記支え部を上方に円弧状に曲折して形成し、前記補助支え板を基板の中心部に引き出して形成し、ペツトボトル下端部に形成した抜き部に、前記補助支え部をその先端部から差し込んで取り付けたことを特徴とする請求項１４、１５記載のうちいづれか一項記載のペツトボトル利用の遊戯日用具
【請求項１７】
連結具の先端部に、ペツトボトル口部の雄ねじに螺合する雌ねじを螺設し、連結具の他端面から中間部に挿通孔を設けたことを特徴とするペツトボトル利用の遊戯日用具
【請求項１８】
連結具の他端部に、傘の軸管の端部に形成した雄ねじに螺合可能な雌ねじを螺設したことを特徴とする請求項１７記載のペツトボトル利用の遊具日用具
【発明の詳細な説明】
【技術分野】
【０００１】
本発明は、ペツトボトルを利用した遊戯具と日用具に関する。
【背景技術】
【０００２】
近年、世界的な温暖化や石油価格高騰等により環境保護や省エネルギーの重要性が強調されるようになってきた。また生活様式の変化で、清涼飲料水だけでなく水やお茶までペツトボトルで飲むようになり、その量は膨大になつている。ペツトボトルに使用する飲料や調味料から化粧品、医薬品の容器まで、ありとあらゆるところにペツトボトルが入りこんでおり、最も生産量が多いのは全体の７割を占める清涼飲料水用だが、使い捨てであるため、むやみに捨てられペツトボトルが深刻なゴミ問題を引き起こしていた。「容器包装リサイクル法」施行以降分別収集する市町村が増えて、リサイクル率は年々上ってきているが使用量からみてまだまだである。ペツトボトルが石油を原料にして製造されていることを考えると、一層リサイクル、リユースへの関心を高めることが重要になつてきている。ところが、生まれた時から物が豊富な大量消費社会で育った子供達は、理屈で判っても実感として理解することは困難なことである。玩具や身近な生活用品で、日常的に使用してリサイクルやリユースへの関心を高めるようにしたものは極めて少ない。
【発明の開示】
【発明が解決しようとする課題】
【０００３】
資源が乏しく、石油を産出しない日本は、技術革新と共に、資源を節約し、リサイクル、リユースの哲学を広めなければならない。特に未来を担う子供達の関心を高めることは重要な課題であるので、これに応えるような玩具や生活用品が要望されている。本発明はこのような事情に鑑みてなされたもので、その目的とするところは、主に子供達が楽しみながら、リサイクルやリユースへの関心を高めることが可能な使用済みペツトボトルを活用した玩具や日用具を提供することにある。
【課題を解決するための手段】
【０００４】
そして、本発明は上記目的を達成するために、請求項１のものは、各隅に載置部を形成した基板と使用済みペツトボトルで構成するもので、前記基板の載置部の一部分は、使用済みペツトボトルの底部に相似する形状に形成したことを特徴とするものである。輪投げ受け台として使用するには、載置部にペツトボトルを載置し、ペツトボトル下部側面と基板の裏面を粘着テープで貼着し、基板にペツトボトルを固定且立設することができる。
【０００５】
基板の形状は三角形、四角形、五角形、六角形、放射形状とどのような形状でもよい。基板は普通、木材や合板を切り抜いて加工するが、合成樹脂で射出成型するか低発泡ポリエチレンを型抜き加工すると低コストで製造することができる。
【０００６】
載置部の形状は、載置部に載置するペツトボトルの底部の形状が円形、多角形と種種あるが、どのような形状のペツトボトルでも取り付け可能である、外側の約３分の２部分を円形形状に形成するとよい。また、載置部の大きさは、後記する理由で内容量５００ＭＬのペツトボトルの底部の外径に合うよう、約６０ｍｍ径にするとよい。
【０００７】
粘着テープは、載置部裏面とペツトボトル下部側面を約１２０度間隔で貼着すると安定して立設することができる。また、粘着テープは布、紙、ビニールテープとどのようなものでもよいが、透明なテープを貼着すると美観上好ましい。
【０００８】
また、本発明の請求項２のものは、上記の構成に加えて、載置部を基板の中央部と側部にも形成し、基板の中央部と基板の側部間に抜き部を形成したことを特徴とするものである。中央部に載置したペツトボトルは、粘着テープを抜き部を通してペツトボトル下部側面と載置部裏面を貼着し、側部の載置部に載置したペツトボトルは、ペツトボトル下部側面と載置部裏面を粘着テープで貼着及び抜き部を通して貼着するとよい。
【０００９】
基板にペツトボトルを安定且確実に立設を保持するためには、基板の側部の外側部分の約半分は円形形状に形成し、基板の外側部分と抜き部を通した部分３箇所で貼着するとよい。
【００１０】
また、本発明の請求項３のものは、柔軟な合成樹脂の基板を型抜きして複数の的部と支持部を形成し、前記基板を湾曲状に形成し、且各的部を基板の前側に湾曲状に突出させ、且各支持部を基板の後側に湾曲状に突出させて、前記基板を傾斜させて立設したことを特徴とするものである。
【００１１】
また、本発明の請求項４のものは、板状の玉受体の上部に、前後左右が二又形状の玉受部を形成したバツテングテイーにおいて、両端部を二又形状に形成した玉受部を設け、中央部に使用済みペツトボトル口部に嵌合する取付孔を穿設した、柔軟な合成樹脂板で形成した板状の玉受体を、円弧状に曲折して、玉受部の下部を接合し、立体状に形成したことを特徴とするものである。使用する場合は、各取付孔をペツトボトル口部に嵌合し、ペツトボトル口部の雄ねじとペツトボトル蓋の雌ねじを螺合して取り付け、ペツトボトルを立設するとよい。玉受体の中間部の接合は、粘着テープを巻いてテーピングするか、結束バンドで結束して接合するとよい。合成樹脂板は０．８~３ｍｍの厚さのものを使用するとよい。プラスチツク等の軽いボールは薄めの板を、野球ボールを使用する場合は厚めの板がよい。また、玉受体は分割して形成し、夫々に取付孔を穿設してペツトボトル口部に取り付け、玉受部の下部を接合するとよい。
【００１２】
また、本発明の請求項５のものは、縦断面円形形状の支持体で、その左右中間部の一方の端部に取付孔を穿設し、その取付孔に螺旋リングを介して、玉掴みを連接した輪ゴムを取り付け、前記支持体の下部側に使用済みペツトボトル口部に嵌合する取付孔を穿設したことを特徴とするものである。使用する場合は、取付孔をペツトボトル口部に嵌合し、ペツトボトル口部の雄ねじとペツトボトル蓋の雌ねじを螺合して取り付け、片手でペツトボトルを把持して輪ゴムを引張するとよい。
【００１３】
また、本発明の請求項６のものは、柔軟な合成樹脂の板の両端部に、使用済みペツトボトル口部に嵌合する取付孔と、適宜の間隔で紐取付孔を穿設し、前記各取付孔をペツトボトル口部に取り付けて輪に形成し、袋の口部と輪の紐取付孔を紐で縛着したことを特徴とするものである。使用する場合は、取付孔をペツトボトル口部に嵌合し、ペツトボトル口部の雄ねじとペツトボトル蓋の雌ねじを螺合して取り付け、ペツトボトルを立設するとよい。また、輪に袋を取り付ける方法は、紐で縛着したり、結束バンドで結束して取り付けてもよい。
【００１４】
また、本発明の請求項７のものは、基板に、使用済みペツトボトル口部に嵌合する複数の取付孔を穿設したことを特徴とするものである。使用する場合は、適宜に切断して形成したペツトボトルを逆さにして、前記取付孔にペツトボトル口部を嵌合して取り付け、ペツトボトル口部雄ねじに、基板の裏面でペツトボトル蓋雌ねじを螺合するとよい。
【００１５】
また、本発明の請求項８のものは、保持部を切り抜いて形成した柔軟な合成樹脂の枠体を略Ｕ字形状に形成し、その上部両端部を輪ゴムで連接し、前記枠体と保持部の中心部に使用済みペツトボトル口部に嵌合する取付孔を穿設したことを特徴とするものである。使用する場合は、保持部に設けた取付孔に、適宜に切断して形成したペツトボトルを逆さにして嵌合し、枠体に形成した取付孔を立設したペツトボトル口部に嵌合し、ペツトボトル口部雄ねじとペツトボトル蓋雌ねじを螺合するとよい。
【００１６】
また、本発明の請求項９のものは、略Ｕ字形状且保持部を形成した枠体の中央部に、使用済みペツトボトル口部に嵌合する取付孔を穿設し、枠体の上端部に吸盤を取り付けたことを特徴とするものである。使用する場合は、適宜に切断したペツトボトルを逆さにして枠体の取付孔に嵌合し、ペツトボトル口部の雄ねじとペツトボトル蓋の雌ねじを枠体の下面で螺合するとよい。
【００１７】
また、本発明の請求項１０のものは、複数の的孔と紐取付孔と使用済みペツトボトル口部に嵌合する取付孔を穿設した的板と、上部に複数の紐部を形成した複数の的袋を組合せて構成し、その的袋の紐部を紐取孔付に、的板の裏側から表側に挿通して的板に紐部を取り付け、的板の裏側に的袋を設けたことを特徴とするものである。使用する場合は、的板に穿設して形成した複数の取付孔に、複数の立設したペツトボトル口部を嵌合し、ペツトボトル口部の雄ねじとペツトボトル蓋の雌ねじを螺合して、使用時、的袋が床面又は壁面から離れて形成できるようにするとよい。的袋はネツト袋、布袋、ポリ袋を使用できるが、原料が高密度ポリエチレンで細かな繊維の入った網目状のポリエチレン不織布は、丈夫で破れにくく安価であるので好ましい。
【００１８】
また、本発明の請求項１１のものは、請求項１０のものにおいて、的板に大小の的孔を形成し、且的板に大小の的袋を取り付けて構成し、大きい的孔の中央部に小さい的孔を支え板を介して的板と一体に形成し、大きい的袋が小さい的袋の外側に配設したことを特徴とするものである。
【００１９】
また、本発明の請求項１２のものは、柔軟な合成樹脂の枠の両端部と中央部適宜の箇所に、使用済みペツトボトル口部に嵌合する取付孔を穿設し、前記取付孔を、底部を切断して形成したペツトボトル口部に取り付けて輪に形成し、貫通孔を形成したペツトボトル蓋状の駒又はペツトボトル蓋を紐に通して連設し、且前記輪の内側とペツトボトル内部に取り付けたことを特徴とするものである。取付孔にペツトボトル口部を嵌合し、口部の雄ねじとペツトボトル蓋の雌ねじを螺合して取り付ける。駒はプラスチツク製で中空の円柱形状を形成しているが、ペツトボトル蓋に孔を穿設し、紐を通して使用してもよい。
【００２０】
また、本発明の請求項１３のものは、頭部中央部に貫通孔を形成した複数のペツトボトル蓋に紐を通し、数珠状に形成したことを特徴とするものである。ペツトボトル蓋は中空円柱状のペツトボトル蓋状の駒としてもよい。多数の駒は数珠状に形成し、且軽くするため合成樹脂で射出成型で加工するとよい。
【００２１】
また、請求項４~１３において、ペツトボトル口部に嵌合する取付孔は、図１７（イ）（ロ）に示すように、口部の形状の違いがあるが、口部雄ねじの谷部の外径Ａ、又は雄ねじ山部の外径Ｂに嵌合可能に、取付孔は内径２６±２ミリに穿設するとよい。また、取付孔に取り付ける板状の部材は、各請求項の遊戯具により違いはあるが、約０．８~３ｍｍのものが、ペツトボトル蓋を螺合して取り付け可能である。
【００２２】
また、本発明の請求項１４のものは、支柱の先端部を、ペツトボトル口部に嵌合するテーパー形状を形成し、支柱の他端部に傘の握柄を凸凹混在のマジツクテープ（商標登録）バンドで取り付け、傘を立設したことを特徴とするものである。
【００２３】
また、本発明の請求項１５のものは、請求項１４のものにおいて、支柱の先端部にバネを有する挟み具を回動自在に取り付け、傘の握柄を、前記挟み具で着脱自在に取り付けたことを特徴とするものである。
【００２４】
また、本発明の請求項の１６のものは、ペツトボトルの安定的立設を支える基板を切り抜いて、抜き部と支え部と補助支え部を形成し、前記支え部を上方に円弧状に曲折して形成し、ペツトボトル下端部に形成した抜き部に、前記補助支え部をその先端部から差し込んで取り付けたことを特徴とするものである。ペツトボトル下端部に形成した抜き部は、カッターで切り目を入れて形成してもよい。更に、各支え部に穿設した紐取付孔に紐を通してペツトボトルに緊縛するとよい。
【００２５】
また、本発明の請求項１７のものは、連結具の先端部に、ペツトボトル口部の雄ねじに螺合する雌ねじを螺設し、連結具の先端面から中間部に挿通孔を設けたことを特徴とするものである。挿通孔は断面円形形状に形成し、支柱を挿通し、着脱可能にするとよい。
また、本発明の請求項１８のものは、請求項１７のものにおいて、連結具の他端部に、傘の軸管の端部に形成した雄ねじに螺合可能な雌ねじを螺設したことを特徴とするものである。
【００２６】
請求項１に記載のペツトボトル利用の遊戯日用具は、輪投げ遊戯具の受け台に利用するもので、まず、使用済みのペツトボトルを４本用意しておく、的棒として利用するペツトボトルのサイズはどのようなものでもよいが、５００ＭＬのものがよい。２７５ＭＬ、３５０ＭＬのものは、投擲した投げ輪がペツトボトルに掛かった後、基板に反射して脱出することが多く、１０００ＭＬのものは、基板を大型に形成しなければならず、また、投げ輪も径が大なるものを用意するのでコスト高になる。また、基板の載置部の形状を一部分円形形状に形成すると、取り付けるペツトボトル底部の形状が多様であつても基板に粘着テープで貼着することができる。また、遊戯具以外にスリツパ掛けとして使用することもできる。
【００２７】
請求項２に記載のペツトボトル利用の遊戯日用具は、請求項１のものの構成に加えて、基板の中央部と側部にもペツトボトルを取り付け可能にしたことにより、的を多数形成できるので、難易度をあげゲーム性の向上を図ることができる。
【００２８】
請求項３に記載のペツトボトル利用の遊戯日用具は、投げ輪を掛ける的部と基板の立設を支える支持部が柔軟な合成樹脂の板で一体に形成しているので折り畳み自在であり、携帯、収納を容易にできる。また、使用時、基板の安定的立設は水等を入れて錘にしたペツトボトルを支持部の下部に取り付けたり、立設したペツトボトルを基板に取り付けることができる。
【００２９】
請求項４に記載のペツトボトル利用の遊戯日用具は、バツテングテイーに使用するもので、玉受体の上部が、柔軟な合成樹脂の板状で前後左右を二又形状の玉受部を形成し、玉受体の下部に取り付けたペツトボトルに水等を入れて立設する。玉受部にボールを置いてバツトで打球してボールを飛ばす。この場合、ボールと共に玉受部を打撃しても柔軟な玉受体及び玉受部は曲折して衝撃力を解消することができる。また水等を入れた錘効果でペツトボトルは転倒せず、立設を保持することができる。
【００３０】
請求項５に記載のペツトボトル利用の遊戯日用具は、飛び玩具パチンコに利用するもので、ペツトボトルを把持部として手で握りゴム紐を引いて弾を飛ばすことができる。また、ペツトボトルを切り抜いて、内部に弾を収納することができる。
【００３１】
請求項６に記載のペツトボトル利用の遊戯日用具は、主として、アンダースローの投法で投擲した投げ輪の標的となるように、ペツトボトル口部に取り付けた輪に袋を取り付けたものである。投擲物として、投げ輪と小型のペツトボトルを使用することができる。また、ペツトボトルを安定して立設させるために、図９に示すように、水等を入れたペツトボトルを横設し立設したペツトボトルと紐で縛着するとよい。
【００３２】
請求項７に記載のペツトボトル利用の遊戯日用具は、適宜に切断したペツトボトルを逆さにして基板に取り付けたもので、ボールを投げ入れてゲームすることができる。また、取り付けるペツトボトルの太さを大、中、小のものを混在して取り付ければ、ボールが入る難易度に差を付けゲーム性を高めることができる。また、本発明は、遊戯具以外に爪きり、カツター、筆記具、リモコン等を入れる卓上小物入れとして使用することができる。ペツトボトルを長めにして取り付ければ、長尺物の収納は効果的である。しかも透明なペツトボトルは内部が判明でき、物探しの手間を解消することができる。
【００３３】
請求項８に記載のペツトボトル利用の遊戯日用具は、ペツトボトル口部に取り付けた枠体を輪ゴムを掛けて略Ｕ字形状に形成し、且適宜に切断したペツトボトルを枠体に逆さに取り付けて、枠体や逆さのペツトボトルや輪ゴムに人形等を飾ることができる。また、枠体に掛けた輪ゴムに挟んで取り付けた人形は、枠体を揺らしたり振動を与えると、人形は動揺して面白みを附加することができる。また、本発明は箱テイツシユ等を置き卓上小物入れとして使用することができる。
【００３４】
請求項９に記載のペツトボトル利用の遊戯日用具は、適宜に切断したペツトボトルを逆さにして、枠体の取付孔にその口部を取り付け、枠体の上部に取り付けた吸盤で冷蔵庫の扉、キツチンのタイル、食器棚のガラス戸等に吸着させて取り付けることができる。本発明は、
小物入れとして使用できるが、テレビ、パソコン、窓ガラス等に吸着させて、柔かいボールを投げ入れる玉入れゲームで遊ぶことができる。また、枠体に形成した保持部に胴体が中空で筒状の人形、いわゆる指人形を取り付けることができる。
【００３５】
請求項１０に記載のペツトボトル利用の遊戯日用具は、複数の的孔と紐取付孔を形成した的板にペツトボトル口部を取り付けて構成し、的孔に取り付ける的袋は、的袋の紐部を紐取付孔に挿通して紐と紐を縛着したり、的板に粘着テープで貼着する。本発明は、ボールを投擲して的孔に入れてゲームするボールゲーム遊戯具であるが、床に置いたり壁に掛けて使用する。また、床に置いて使用する場合、近辺に本発明より高めの座卓等を置いて、その上に置いたペツトボトル蓋を指で弾いて、座卓等の上を滑動させて的孔に入れるゲームをすることができる。ペツトボトルを外して使用する場合はカーテンレールや敷居に吊設し、的袋の裏側が空間となるようにする。また、的板と同形の的孔、ぺツトボトル取付孔を形成したものを的板の上側から取り付けると、的袋の紐部を隠蔽でき美観を向上できる。
【００３６】
請求項１１に記載のペツトボトル利用の遊戯日用具は、請求項１０と同様、ボールゲーム遊戯具である。大小の的の中心が同一で重なる形状を形成しているので、小さい的孔を狙って投擲したボールが外れても、大きい的孔に入る確率が高くなるようにすることができる。
【００３７】
請求項１２に記載のペツトボトル利用の遊戯日用具は、スポーツ観戦時の応援用具である鳴子遊戯具である。取り付けたペツトボトルを把持して振ると、駒と駒がぶつかりあつて音を出す。また、駒の頭部と頭部が当るように配設すれば、より高い音を出すことができる。また、駒がペツトボトル側面に当り二重の音を出すことができる。更に、複数のペツトボトルを取り付ければ、夫々が集積し一層大きな音を出すことができる。
【００３８】
請求項１３に記載のペツトボトル利用の遊戯日用具は、請求項６の袋の標的にめがけて投擲する投擲物として使用できる。また、本遊戯具は軽く且数珠状に形成しているので掴み易く、当った場合の衝撃は軽少なので、投げと受け、いわゆるキヤツチボールに使用でき、特に高齢者が手を動かして脳や反射神経を活性化させ、痴呆症防止に役立てることができる。また、脳障害等で片手が不自由になり、そのリハビリに使用できる。数珠状に形成した遊戯具に紐を結び、健常な方の手で紐を持ち、遊戯具を投げ上げ不自由な手で掴む訓練をすることができる。また、紐に通した各蓋は回転可能なので、数珠状の遊戯具の内側に足を嵌めて、足の裏を刺激する健康用品として使用できる。更に蓋と蓋が接触して鳴音するので、面白みを付加できる。
【００３９】
請求項１４に記載のペツトボトル利用の遊戯日用具は、雨天時、自転車に傘を取り付け、片手運転を解消したものである。ペツトボトルを自転車のハンドルとハンドルポストに傾斜して取り付け、テーパー形状を形成した支柱の先端部を、ペツトボトル口部に嵌合し、支柱の他端部に傘の握柄を凸凹混在のマジツクテープ（商標登録）バンドを接着して取り付け、傘を立設することができる。また、ペツトボトルを垂直に取り付け、支柱の上部にペツトボトルを加工形成した風車を取り付け、自転車運転時、風を受けて風車の回転を楽しむことができる。また、支え部を形成した基板に取り付けたペツトボトルに、垂直に立設した支柱に、日傘を取り付け野外等で両手を自由にして日陰をつくることができる。また、傘の石づきをペツトボトル口部に挿通し、傘を逆さにして立設し、柔軟なボールを打球して遊ぶゴルフシヨットゲームの標的にすることができる。更に、支柱に紐取付孔を穿設し、ペツトボトルに抜き部を形成すれば、支柱上部は身体の肩に紐で取り付け、ペツトボトルは抜き部をベルトやずぼん腰回りに差し込んで身体に取り付けることができる。両手が自由で傘をさせるので、雨天、多くの荷物を持つ歩行時や自転車運転が安全且効果的である。また、近辺にペツトボトルがない場合、支柱先端部の紐取付孔に紐を通しベルトや腰回りに緊縛するとよい。更に支柱の先端部に形成した凹部をベルトに掛けて支えることができる。
【００４０】
請求項１５に記載のペツトボトル利用の遊戯日用具は、請求項１４において、支柱に取り付けた傘が回動自在、着脱自在としたもので、降ってくる雨の方向により、傘の位置を角度調整することができる。また、傘の着脱が容易になる。
【００４１】
請求項１６に記載のペツトボトル利用の遊具日用具は、ペツトボトルの下端部に基板を取り付け、ペツトボトル口部に取り付けるものが大きく重いものでも、安定的な立設を保持することができる。
【００４２】
請求項１７に記載のペツトボトル利用の遊戯日用具は、支柱は連結具を介してペツトボトルに取り付けているが、ペツトボトル口部と連結具端部は雄ねじと雌ねじを螺刻しているので確実に螺着して取り付けることができる。また、支柱は挿通孔に挿通するだけで容易に着脱できる。また、立設した支柱の水平方向に穿設した取付孔に、取付ピンを挿通して容易に風車を取り付けることができる。
【００４３】
請求項１８に記載のペツトボトル利用の遊具日用具は、傘の握柄が多様な形態であつても、連結具を介してペツトボトルに取り付けることができる。特に折り畳み傘で握柄を螺着して取り付けているものは、握柄を外し、傘の軸管端部の雄ねじ部を連結具の雌ねじ部に螺合して傘を容易に取り付け、且取り外すことができる。
【発明の効果】
【００４４】
上述したように本発明のペツトボトルを利用した遊戯具は、簡単な構造ながら、多様で日常的且身近に楽しめ、役立つものを提供することができる。したがって、特に子供達に使用済みペツトボトルの遊びながらの使用と生活の中での使用により、リサイクル、リユースへの関心を高めることができる。
【発明を実施するための最良の形態】
【００４５】
以下、本発明の実施の形態を図１~図３０に基づいて説明する。
【実施例１】
【００４６】
図１は、本発明の実施例１の正面図とＡ−Ａ矢視図Ｂ−Ｂ矢視図である。図中１は使用済み容器でペツトボトルと称されるボトルで、このペツトボトル１の上部には雄ねじ２を形成した筒状の口部３が形成してある。
【００４７】
４は、ペツ６ボトル１の蓋で筒状でその内側に雌ねじ５を形成し、ペツトボトル１の口部３の雄ねじ２と螺合するようになつている。６は板状の基板で四隅に約３分の２円形形状の載置部７を形成している。載置板７に立設したペツトボトル１は、載置部７の裏面とペツトボトル下部側面を粘着テープ８で約１２０度間隔で貼着して取り付けることができる。
【００４８】
図２は、本発明の実施例２の正面図とＣ−Ｃ矢視図とＤ−Ｄ矢視図である。基板６の四隅に加え、側中間部に約２分の１円形形状の載置部７を形成し、基板６の中央部と四辺の側部間に長方形状の抜き部９を型抜きして形成し、中央部を載置部７としている。基板６に載置したペツトボトル１のうち四隅のものは、前記した実施例１と同様にして取り付けるが、側部に載置したペツトボトル１は、載置部７の円形形状の部分は、基板６の裏面とペツトボトル１下部側面を粘着テープ８で貼着し、他の箇所は抜き部９を通してペツトボトル１下部側面と基板６裏面を粘着テープ８で貼着して取り付ける。更に、基板６中央部に載置したペツトボトル１は、基板６裏面とペツトボトル１下部側面を抜き部９を通して粘着テープ８を貼着して取り付けることができる。
【００４９】
図３は、本発明の実施例３の正面図とＥ−Ｅ矢視図と展開図である。基板６は柔軟な合成樹脂で湾曲状に形成し、抜き部９を型抜きして的部１０と支持部１１を形成し、基板６の上部両側に的部１０を形成している。型抜きして形成した的部１０は基板６の前側に湾曲状に突出させ、型抜して形成した支持部１１は基板６の後側に湾曲状に突出させている。支持部１１により立設した基板６を安定的にするため、、支持部１１と基板６の下部に水等が入ったペツトボトル１を横にして、支持部１１と輪ゴム１２で取り付けることができる。
【００５０】
図４は、実施例３の基板６の立設を示す他の形態図で、ペツトボトル１を立設し、支持部１１とペツトボトル１を輪ゴム１２で取り付けることができる。
【００５１】
図５は、後記する実施例のペツトボトル１の立設を支える形態の一例で、（イ）は基板６に抜き部９と支え部１３を型抜きして形成し、（ロ）支え部１３を上方に円弧状に形成し、各支え部１３間にペツトボトル１を置き、支え部１３のバネ圧でペツトボトル１の立設を保持することができる。
【００５２】
図６は、中央に載置部７を形成した十字形状の基板６で、載置部７に載置したペツトボトル１を粘着テープ８で貼着してペツトボトル１の立設を支える形態の一例である。
【００５３】
図７は、本発明の実施例４の正面図とＦ−Ｆ 矢視図と展開図である。本発明はバツテングをするとき、静止状態のボールを打つため、ボールを載置するテイーである。１４は柔軟な合成樹脂板で形成した板状の玉受体である。玉受体１４をテーピング１６して接合し、接合部より上方を前後左右二又形状に玉受部１５を形成し、その玉受部１５にボールを置くようにしている。接合部より下方は略楕円形状に形成し、下部にはペツトボトル１口部３に嵌合する取付孔１７を穿設している。立設したペツトボトル１口部３に取付孔１７を嵌合してペツトボトル１口部３雄ねじ２とペツトボトル１蓋４雌ねじ５を螺合して取り付けることができる。ペツトボトル１の安定的立設を保持するため、錘として水を入れたり、前記した図５、６の形態を図ることもできる。
【００５４】
図８は、本発明の実施例５の側面図とＧ−Ｇ矢視図とＨ−Ｈ矢視図と展開図である。本発明は引張した輪ゴムで弾を飛ばすパチンコで、柔軟な合成樹脂板で形成した支持体１８と飛ばす弾を掴んで保持する玉掴み１９で連接した輪ゴム１２と螺旋リング２０及びペツトボトル１で構成している。支持体１８の両端部を重ねてテーピング１６して縦断面円形形状を形成し、左右中間部の端部に螺旋リング２０を取り付ける取付孔１７と、下部の中央部にペツトボトル１口部３に嵌合する取付孔１７を穿設している。繋いで形成した輪ゴム１２は玉掴み１９に繋いで取り付け、輪ゴム１２の他端部は螺旋リング２０を介して支持体１８取付孔１７に取り付けている。輪ゴム１２が切れた場合、一方が螺旋状に形成した螺旋リング２０なので輪ゴム１２を容易に取り替えることができる。また、玉掴み１９後部に形成している孔部２１は小さい弾、例えば、鉄弾、小石等を掴めなく、柔かい大き目の弾だけ掴めるように安全を担保したものである。また、支持体１８下部の取付孔１７にペツトボトル１口部３を挿入し、ペツトボトル１蓋４の雌ねじ５とペツトボトル１の雄ねじ２を螺合して取り付けることができる。また、ペツトボトル１に孔部２１を切り抜いて形成し、内部に弾２２を収納可能にすることができる。
【００５５】
図９は、本発明の実施例６の正面図とＩ−Ｉ矢視図である。本発明は投げ輪やペツトボトル１をアンダースローで投擲して、標的である袋に入れて遊ぶ遊戯具で、柔軟な板の両端部に取付孔１７と適宜の間隔で紐取付孔３５を穿設し、前記の各取付孔１７をペツトボトル１口部３に嵌合して、ペツトボトル口部３の雄ねじ２とペツトボトル１蓋４の雌ねじ５を螺合して取り付け、輪２３を形成している。更にその輪２３に網状の袋２４を紐取付孔３５を通して、紐２６で縛着している。
【００５６】
図１０は、本発明の実施例７の正面図とＪ−Ｊ矢視図とＬ−Ｌ矢視図である。本発明は逆さにして取り付けたペツトボトルにボールを投げ入れて遊ぶ遊戯具である。また、卓上に置いて小物入れに使用することができ、基板６にペツトボトル１口部３に嵌合する複数の取付孔１７を穿設し、適宜に切断したペツトボトル１を逆さにして、その口部３を取付孔１７に嵌合し、基板６の裏面でペツトボトル１蓋４を螺合して取り付けることができる。また各ペツトボトル１外周に紐２６を張設し、各ペツトボトル１間においた物品を保持することができる。また、各種のペツトボトルの中で、切断したペツトボトル１を上方に嵌合して重ねることができるものもある。
【００５７】
図１１は、本発明の実施例８の側面図とＫ−Ｋ矢視図と展開図である。本発明は揺すったり振動を与えると、人形が動揺して面白みが増し、人形で遊べる遊戯具である。また、人形を置いて飾ったり、物品、例えば、テッシユ箱を置いて卓上物置きとして使用できるものであり、枠体２７は柔軟な合成樹脂板で型抜きして保持部２８と四隅に突起部２９を形成している。また、枠体２７と保持部２８の中央部にペツトボトル１口部３に嵌合する取付孔１７を穿設している。枠体２７は略Ｕ字形状且保持部２８を枠体２７の左右に突出して形成し、枠体２７の上部になつた左右の突起部２９に輪ゴム１２を平行状に掛け、輪ゴム１２と輪ゴム１２の間に人形を挟むことができる。また、保持部２８取付孔１７に適宜に切断して形成したペツトボトルを逆さにして嵌合して、保持部２８の裏面でペツトボトル１の蓋４で螺合して取り付けることができる。また、枠体２７の取付孔１７は立設したペツトボトル１口部３に嵌合して、蓋４と螺合して取り付けることができる。
【００５８】
図１２は、本発明の実施例９の側面図とＭ−Ｍ矢視図とＮ−Ｎ矢視図である。本発明は適宜に切断したペツトボトル１を逆さに形成して枠体２７に取り付けることができるようになつており、枠体２７を吸盤３０を介して、吸盤３０を吸着可能なところに取り付けて物品入れとして使用するものである。また、人形を取り付け可能にして遊び心を附加したものである。枠体２７は柔軟な合成樹脂の板を型抜きして保持部２８を形成し、枠体２７の一端側に輪ゴム１３の取付孔１７と吸盤３０先端部の取付孔１７を穿設し、他端側隅部に輪ゴム１２を掛ける突起部２９を形成している。また、枠体２７の中央部にペツトボトル１口部３に嵌合する取付孔１７を穿設している。略Ｕ字形状に形成した枠体２７に逆さにしたペツトボトル１口部３を取り付けることができ、上部の取付孔１７に取り付けた輪ゴム１２を突起部２９に掛けて枠体２７の形を保持している。また、上部の取付孔１７に吸盤３０の頭部を挿通して取り付け、ペツトボトル１は枠体２７と吸盤３０を介してタイル壁や冷蔵庫扉等に取り付けることができる。また、保持部２８に取り付ける人形は、胴体が筒状で中空なものを取り付けることができる。
【００５９】
図１３は、本発明の実施例１０の平面図とＯ−Ｏ矢視図とＰ−Ｐ矢視図である。本発明は的板３１に形成した的孔３２と的袋３３にボールを投げ入れてゲームする遊戯具であり、四角形板状の的板３１に、大きさの異なる的孔３２と的袋３３の紐部３４を通す紐取付孔３５とペツトボトル１口部３に嵌合する取付孔１７を設け、的板３１の裏側から的袋３３の紐部３４を通し、的板３１の表側で隣接する紐部３１と紐部３１を縛着して的板３１に的袋３３を取り付けている。本発明を床に置いたり壁に掛けて使用するには、複数のペツトボトル１を立設し、その口部３を的板３１の取付孔１７に嵌合して、ペツトボトル１口部３の雄ねじ２とペツトボトル１蓋４の雌ねじ５を螺合して取り付け、的袋の先端部が床、又は壁面に接しないようにする。
【００６０】
図１４は、実施例１０の的袋３３を示す正面図とＱ−Ｑ矢視図とＲ−Ｒ矢視図である。的袋３３は網状で上部は四角形状、下部は線状を形成し、上部四隅に紐部３１を設けている。
【００６１】
図１５は、本発明の実施例１１の平面図とＳ−Ｓ矢視図である。本発明は実施例１０同様、大小の的孔３２と的袋３３にボールを投げ入れてゲームをする遊戯具である。的板３１の中央部に大きい的孔３２を形成し、大きい的孔３２の中央部に連接部３６を介して的板３１と一体に小さい的孔３２を形成している。大小の的孔３２に大小の的袋３３を取り付け、その中心部が同一且大きい的袋３３が小さい的袋３３の外側に配設している。
【００６２】
図１６は、本発明の実施例１２の正面図とＴ−Ｔ矢視図と展開図である。２３は輪で、柔軟な合成樹脂板で形成している。帯状の合成樹脂板の両端部と中央部適宜の箇所にペツトボトル１口部３に嵌合する取付孔１７と紐取付孔３５を穿設している。前記両端部の取付孔１７をペツトボトル１口部３に嵌合し、口部３の雄ねじ２とペツトボトル１蓋４の雌ねじ５を螺合して取り付け輪２３を形成している。頭部の中心部に貫通孔３９を穿設したペツトボトル１蓋状の複数の駒３８は、夫々の頭部が対面するように貫通孔３９に紐２６を通し、輪２３の内側とペツトボトル１の内部に取り付けている。内部に駒３８を取り付けたペツトボトル１は、輪２３に複数取り付けることができ、鳴り音の増大を図ることができる。また、駒３８はペツトボトル１蓋４とすることもできる。
【００６３】
図１７は、ペツトボトル１口部３の構造を示す参考図である。図（イ）に示す構造のものは、口部３の雄ねじ２谷部の外径Ａと同じ内径の取付孔に取り付けることができる。図（ロ）に示す構造のものは、口部３の雄ねじ２山部の外径と同じ内径の取付孔に取り付けることができる。
【００６４】
図１８は、本発明の実施例１３の構成図である。４はペツトボトル蓋で、内部中空の円柱状で頭部中心部に貫通孔３９を穿設している。各ペツトボトル蓋４の貫通孔３９に紐２６を通し、紐２６の両端を結び数珠形状を形成している。また、ペツトボトル１蓋４は合成樹脂でペツトボトル蓋状の駒とすることもできる。
【００６５】
図１９は、本発明の実施例１４の正面図である。４０は支柱で４１は凸凹混在のマジツクテープ（商標登録）バンドである。支柱４０は、四角形状の棒で先端部をペツトボトル１口部３に嵌合するテーパー形状を形成している。また、凸凹混在のマジツクテープ（商標登録）バンド４１は四角の輪に凸凹混在のマジツクテープ（登録商標）を縫着してバンドを形成している。ペツトボトル１は自転車のハンドル４２とハンドルポスト４３に傾斜して紐２６で縛着している。自転車に取り付けたペツトボトル１口部３に支柱４０のテーパー形状に形成した先端部を嵌合し、支柱４０の他端部に傘の握柄４４を二本の凸凹混在のマジツクテープ（商標登録）バンド４５で取り付けている。
【００６６】
図２０は、本発明の実施例１５の正面図である。基板６に抜き部９と支え部１３を切り抜いて形成し、支え部１３を上方に円弧状に曲折し、各支え部１３の内側にペツトボトル１を立設している。逆さにした傘の石づき４６をペツトボトル１口部３に入れ、ペツトボトル上に逆さの傘を載置している。支え部１３に穿設している各取付孔１７に紐２６を通してペツトボトル１に縛着することができる。
【００６７】
図２１は、本発明の実施例１６の正面図である。支え部１３で支え基板６に立設したペツトボトル１口部３に支柱４０の先端部を嵌合し、支柱４０の他端部に傘の握柄４４を凸凹混在のマジツクテープ（商標登録）バンドで取り付け、傘を立設している。
【００６８】
図２２は、本発明の実施例１７の正面図と展開図である。基板６の中央部を切り抜いて抜き部９と十字に配設する支え部１３を形成している。また、支え部１３をＵ字形状に切り抜いて抜き部９と補助支え部５５を形成している。更に、支え部１３の先端部に紐取付孔３５を穿設している。各支え部１３を上方に円弧状に曲折し、その間に、下端部四方に抜き部９を形成したペツトボトル１を立設している。同時に補助支え部５５の先端部から抜き部９に差込、基板６をペツトボトル１に取り付けている。基板６とペツトボトル１の結合をよち確実にするためには、支え部１３の紐取付孔３５に紐を通して緊縛することができる。
【００６９】
図２３は、本発明の実施例１８の正面図である。４７は挟み具で内部にバネ４８を有している。挟み具４７は支柱４０にビス４９と蝶ナツト５０で回動自在に取り付けている。挟み具４７で傘の握柄４４を掴み、傘の傾斜角度を調整することができる。
【００７０】
図２４は、本発明の実施例１９の正面図である。自転車のハンドル４２とハンドルポスト４３に、ペツトボトル１が垂直になるように紐２６で縛着している。ペツトボトル１口部３に嵌合して取り付けた支柱４０の上部水平方向に取付孔１７を穿設し、ペツトボトル１を加工形成した風車を二箇のペツトボトル１蓋４を介して、太めの針金のピン５１で前記取付孔１７に取り付けている。
【００７１】
図２５は、本発明の実施例２０の一部断面図である。５３は連結具で合成樹脂で射出成型で形成し、端部にペツトボトル１口部３の雄ねじ２に螺合する雌ねじ５を螺設している。他端部に、端面から中間部にかけて、支柱４０が挿通可能な挿通孔５２を形成し、上部水平方向に風車を取り付けるピン５１が挿通可能な取付孔１７を設け、支柱４０又は風車を取り付け可能にしている。
【００７２】
図２６は、本発明の実施例１４の他の使用状態の参考図である。両手が自由な状態で傘を使用できるようにしたもので、先端部をテーパー形状に形成した支柱４０は、両端部に紐取付孔３５を穿設し、先端部に凹部２５を形成している。抜き部９を形成して加工したペツトボトル１を、ベルト又はずぼんの上部に差込、ペツトボトル１口部３に支柱４０先端部を嵌合し、支柱４０上部に穿設した紐取付孔３５に紐２６を通して、肩と斜交して紐２６で緊縛している。
【００７３】
図２７は、本発明の実施例１７の他の使用状態の参考図である。病気で熱があるとき、水を入れたビニール袋を支柱４０先端部に穿設している紐取孔３５に紐２６で吊設することができる。
【００７４】
図２８は、本発明の実施例１７の他の使用状態の参考図である。実施例１４に示すテイーの玉受け部１５に載置したボールを、支柱４０を握りペツトボトル１で打球するバツテング打球具として使用することができる。打球の際、ペツトボトル１が支柱４０から、分離しないように、支柱４０に穿設した紐取付孔３５とペツトボトル１口部３を紐２６で緊縛している。
【００７５】
図２９は、本発明の実施例１７の他の使用状態の参考図で、ホツケーの打球具として使用するものである。野外で使用する場合は、ゴムやプラスチツクのボールを使用し、室内で使用する場合は、ペツトボトル１の下部を切断し、その切断して形成した皿状のペツトボトル１を二個合わせて、中空で立体状に形成した打球物を打球具で打球する。
【００７６】
図３０は、本発明の実施例２１の一部断面図である。連結具５３の先端部にペツトボトル１口部３に螺合可能な雌ねじ５を形成し、ペツトボトル１口部３に取り付けてている。連結具の他端部には、傘軸管５６端部に形成した雄ねじ２に螺合可能な雌ねじ５を螺設している。傘軸管５６に螺着している握柄４４を外し、軸管５６端部を連結具５３に螺合して傘を立設することができる。
【図面の簡単な説明】
【００７７】
【図１】本発明の実施例１の正面図とＡ−Ａ矢視図とＢ−Ｂ矢視図
【図２】本発明の実施例２の正面図とＣ−Ｃ矢視図とＤ−Ｄ矢視図
【図３】本発明の実施例３の正面図とＥ−Ｅ矢視図と展開図
【図４】実施例３の基板の立設を示す他の形態
【図５】ペツトボトルの立設を支える形態の一例
【図６】ペツトボトルの立設を支える形態の一例
【図７】本発明の実施例４の正面図とＦ−Ｆ矢視図
【図８】本発明の実施例５の側面図とＧ−Ｇ矢視図とＨ−Ｈ矢視ずと展開図
【図９】本発明の実施例６の正面図とＩ−Ｉ矢視図と展開図
【図１０】本発明の実施例７の正面図とＪ−Ｊ矢視図とＬ−Ｌ矢視図
【図１１】本発明の実施例８の側面図とＫ−Ｋ矢視図と展開図
【図１２】本発明の実施例９の側面図とＭ−Ｍ矢視図とＮ−Ｎ矢視図と展開図
【図１３】本発明の実施例１０の平面図とＯ−Ｏ矢視図とＰ−Ｐ矢視図
【図１４】実施例１０の的袋を示す正面図とＱ−Ｑ矢視図とＲ−Ｒ矢視図
【図１５】本発明の実施例１１の平面図とＳ−Ｓ矢視図
【図１６】本発明の実施例１２の正面図とＴ−Ｔ矢視図と展開図
【図１７】（イ）（ロ）ペツトボトル口部の参考図
【図１８】本発明の実施例１３の構成図
【図１９】本発明の実施例１４の正面図
【図２０】本発明の実施例１５の正面図
【図２１】本発明の実施例１６の正面図
【図２２】本発明の実施例１７の正面図と展開図
【図２３】本発明の実施例１８の正面図
【図２４】本発明の実施例１９の正面図
【図２５】本発明の実施例２０の一部断面図
【図２６】本発明の実施例１４の他の使用状態の参考図
【図２７】本発明の実施例１７の他の使用状態の参考図
【図２８】本発明の実施例１７の他の使用状態の参考図
【図２９】本発明の実施例１７の他の使用状態の参考図
【図３０】本発明の実施例２１の一部断面図
【符号の説明】
【００７８】
１  ペツトボトル    ２  口部    ３  蓋    ６  基板   ７  載置部
８  粘着テープ      ９  抜き部    １０  的部      １１  支持部
１２  輪ゴム       １３  支え部    １４  玉受体     １５  玉受部
１７  取付孔       １８  支持体     １９  玉掴み     ２０  螺旋リング
２１  孔部         ２３    輪       ２４  袋         ２５  凹部
２６  紐           ２７  枠体       ２８  保持部     ２９  突起部
３０  吸盤         ３１  的板       ３２  的孔       ３３  的袋
３４  紐部        ３５  紐取付孔     ３６  連接部     ３７  枠板
３９  貫通孔      ４０  支柱        ４１  マジツクテープ（商標登録）バンド
４２  ハンドル    ４４  握柄        ４７  挟み具      ５１  ピン
５３  連結具      ５５  補助支え部  ５６  軸管
【図１】
2009034151.tif 000003
【図２】
2009034151.tif 000004
【図３】
2009034151.tif 000005
【図４】
2009034151.tif 000006
【図５】
2009034151.tif 000007
【図６】
2009034151.tif 000008
【図７】
2009034151.tif 000009
【図８】
2009034151.tif 000010
【図９】
2009034151.tif 000011
【図１０】
2009034151.tif 000012
【図１１】
2009034151.tif 000013
【図１２】
2009034151.tif 000014
【図１３】
2009034151.tif 000015
【図１４】
2009034151.tif 000016
【図１５】
2009034151.tif 000017
【図１６】
2009034151.tif 000018
【図１７】
2009034151.tif 000019
【図１８】
2009034151.tif 000020
【図１９】
2009034151.tif 000021
【図２０】
2009034151.tif 000022
【図２１】
2009034151.tif 000023
【図２２】
2009034151.tif 000024
【図２３】
2009034151.tif 000025
【図２４】
2009034151.tif 000026
【図２５】
2009034151.tif 000027
【図２６】
2009034151.tif 000028
【図２７】
2009034151.tif 000029
【図２８】
2009034151.tif 000030
【図２９】
2009034151.tif 000031
【図３０】
2009034151.tif 000032